(57)【特許請求の範囲】
【請求項１】
寝台の下部を構成する略矩形状の基台フレームの４つの角部に、キャスターを備えさせるとともに、前記各キャスターに備えさせた制動装置を操作する制動操作軸に、作動部材を枢着し、且つ、これら前後に位置する作動部材同士を前後方向の連結部材によりそれぞれ枢支連結し、前記左右に位置する１組の作動部材を同時に揺動操作する揺動式の足踏み操作部材の回動軸芯を前記制動操作軸の直下方に配置し、前記左右に位置する１組の作動部材と前記足踏み操作部材とをそれぞれ連動部材を介して枢支連結してある寝台におけるキャスターのロック操作構造において、前記作動部材の枢着部とは反対側の端部と前記連結部材の端部とを枢支連結し、この枢支連結部を前記基台フレームの下端面よりも上方で、且つ、前記制動操作軸よりも上方に位置させるとともに、前記足踏み操作部材の踏み込み操作に伴って前記連動部材が引っ張り操作され、その引っ張り操作力により前記連結部材を引っ張り操作するために、該足踏み操作部材の足踏み操作部側箇所と前記作動部材の前記制動操作軸よりも上方に位置する箇所とを連動部材にて枢支連結してある寝台におけるキャスターのロック操作構造。
【請求項２】
前記作動部材、連結部材、連動部材を、前記基台フレームを構成する左右フレーム部の内方側箇所に配置するとともに、前記足踏み操作部材の回動軸芯を、前記基台フレームの下端面よりも上方に位置させてある請求項１記載の寝台におけるキャスターのロック操作構造。
【請求項３】
前記基台フレームの４辺のうちの互いに平行な左右２辺同士間に保持部材を架設するとともに、前記基台フレーム下端面と床面との間から挿入して前記保持部材にアンダーロッカーを保持させてある請求項１又は２記載の寝台におけるキャスターのロック操作構造。
【発明の詳細な説明】
【０００１】
【発明の属する技術分野】
本発明は、寝台におけるキャスターのロック操作構造に係わり、更に詳しくはキャスター車輪の回転又は旋回を不能にするロック状態とこれを解除するロック解除状態とに切替え可能な寝台におけるキャスターのロック操作構造に関する。
【０００２】
【従来の技術】
上記寝台におけるキャスターのロック操作構造として、例えば図５に示すように（図では前方右側のキャスターＣ１のみ示している）、キャスターの制動装置３を操作する制動操作軸４に、両端にアーム部５Ａ，５Ｂをそれぞれ備える作動部材５を一体回動自在に取付け、これら前後に位置する作動部材５，５（後方側は図示せず）の下方側アーム部５Ｂの遊端部同士を前後方向の連結部材８によりそれぞれ枢支連結し、前記左右に位置する作動部材５，５（左側は図示せず）を同時に揺動操作する揺動式の足踏み操作部材６の回動軸芯Ｙを前記制動操作軸４の直下方に配置し、前記左右に位置する作動部材５，５の上方側アーム部５Ａ，５Ａの遊端部と前記足踏み操作部材６を構成する揺動アーム部６ｂの回動軸芯Ｙ寄り箇所とを連動部材７を介してそれぞれ枢支連結して、足踏み操作部材６を踏み込み操作することによって、４つの制動装置３・・・を一挙に操作できるようにしている。尚、図に示す１は、寝台の下部を構成する基台フレームであり、又１ａは、前記基台フレーム１の端部に固定のボス部であり、又、６ａは、前記左右の揺動アーム部６ｂ，６ｂを連結する足踏み用横杆である。
【０００３】
上記構成によれば、ロック操作構造に必要な部材類を作動部材５の回動軸芯Ｘ付近に集中させることができるから、ロック操作構造の小型化を実現することができるものの、作動部材５の回動軸芯Ｘよりも下方に位置する下方側アーム部５Ｂ，５Ｂ同士を前後方向の連結部材８により連結する構成であるため、下方側アーム部５Ｂと連結部材８との連結位置が基台フレーム１の下端面よりも下方に位置することから、それら部材５Ｂ，８の連結作業時には、非常に低い姿勢になる、又は寝ころんだ姿勢にならなければならず、その連結作業が手間のかかる面倒な作業になっていた。ところで、前記部材類が寝台の移動時に他物と接当することがないように基台フレーム１よりも内方側に配置されることが多く、この場合、基台フレーム１の下端面１Ｂと床面Ｆとの間から基台フレーム１の内側下方に潜り込んで作業を行わなければならず、前記不都合をさらに顕著にするものであった。尚、前記基台フレーム１は寝台を構成する部材の中でも、できるだけ下方側に位置させて基台フレーム１の上方側に配設される床部上に敷かれる敷布団に容易に着座して横になることができるように、敷布団の上下高さを低く抑えるようにしている。
【０００４】
また、足踏み操作部材６と作動部材５の上方側アーム部５Ａの遊端部とが連動部材７を介して枢支連結され、且つ、連結部材８が作動部材５の下方側アーム部５Ｂの遊端部に連動連結された構成、つまり連動部材７と作動部材５との枢支連結部及び連結部材８と作動部材５との枢支連結部が作動部材５の回動軸芯Ｘを挟んで作動部材５の両端に位置するため、足踏み操作部材５を踏み込み操作したときに、連動部材７が引っ張り操作され、この引っ張り操作力により作動部材５が回転操作され、この回転力が連結部材８の押し移動力に変換され、後方に位置する作動部材５（図示せず）を回転操作するようにしている。このため、特にギアの噛み合いを行わせるロック側への操作力がロック解除側への操作力よりも大であることから、作動部材５と連結部材８との枢支連結部で押し移動による拗れ等が発生することがあった。
【０００５】
【発明が解決しようとする課題】
本発明が前述の状況に鑑み、解決しようとするところは、ロック操作構造に必要な部材類の組付け作業をできるだけ上方の楽な姿勢で行えるようにしながらも、ロック操作を拗れ等のないスムーズな状態で行えるようにする点にある。
【０００６】
【課題を解決するための手段】
本発明は、前述の課題解決のために、寝台の下部を構成する略矩形状の基台フレームの４つの角部に、キャスターを備えさせるとともに、前記各キャスターに備えさせた制動装置を操作する制動操作軸に、作動部材を枢着し、且つ、これら前後に位置する作動部材同士を前後方向の連結部材によりそれぞれ枢支連結し、前記左右に位置する１組の作動部材を同時に揺動操作する揺動式の足踏み操作部材の回動軸芯を前記制動操作軸の直下方に配置し、前記左右に位置する１組の作動部材と前記足踏み操作部材とをそれぞれ連動部材を介して枢支連結してある寝台におけるキャスターのロック操作構造において、前記作動部材の枢着部とは反対側の端部と前記連結部材の端部とを枢支連結し、この枢支連結部を前記基台フレームの下端面よりも上方で、且つ、前記制動操作軸よりも上方に位置させるとともに、前記足踏み操作部材の踏み込み操作に伴って前記連動部材が引っ張り操作され、その引っ張り操作力により前記連結部材を引っ張り操作するために、該足踏み操作部材の足踏み操作部側箇所と前記作動部材の前記制動操作軸よりも上方に位置する箇所とを連動部材にて枢支連結してある。作動部材と連結部材の枢支連結部及び作動部材と連動部材の枢支連結部、つまりロック操作構造に必要な部材類の枢支連結部を制動操作軸よりも上方に集中させて配置させることができるから、それら部材の連結作業時に、非常に低い姿勢になる、又は寝ころんだ姿勢にならなくても、腰をあげかけた中腰姿勢で作業を行うことができる。また、足踏み操作部材を踏み込み操作することによって、連動部材が引っ張り操作され、その引っ張り操作力により連結部材が引っ張り操作されるのである。
【０００７】
前記作動部材、連結部材、連動部材を、前記基台フレームを構成する左右フレーム部の内方側箇所に配置するとともに、前記足踏み操作部材の回動軸芯を、前記基台フレームの下端面よりも上方に位置させてある。つまり、寝台の移動時において、作動部材、連結部材、連動部材に他物が接当することを左右フレーム部が阻止することができる。しかも、足踏み操作部材の回動軸芯をも、基台フレームの下端面よりも上方に位置させることによって、作動部材、連結部材、連動部材、足踏み操作部材の連結作業を、基台フレームの下端面と床面との間から基台フレームの内方下側に潜り込んで作業を行わなくても、基台フレームの上方開口部から行うことができるのである。
【０００８】
前記基台フレームの４辺のうちの互いに平行な左右２辺同士間に保持部材を架設するとともに、前記基台フレーム下端面と床面との間から挿入して前記保持部材にアンダーロッカーを保持させてある。上述のように、ロック操作構造に必要な部材類の枢支連結部を制動操作軸よりも上方に集中配置することによって、基台フレーム下端面と床面との間に発生するスペースを利用して、アンダーロッカーを取付けることができるのである。
【０００９】
【発明の実施の形態】
図１に、キャスターのロック操作構造を備えた寝台の下部の基台フレーム１を構成する前後姿勢の左右一対の左右フレーム部２，２（図では左側のフレーム部のみ）を示しており、前記左右フレーム部２，２の前端部同士及び後端部同士を図示しない杆体によって連結し、前記左右フレーム部２，２と杆体とからなる基台フレーム１の上に床部（図示せず）を載置するとともに、前記左右フレーム部２，２の前端部及び後端部に固定のボス部１ａにそれぞれキャスターＣ１〜Ｃ４を取付けて、移動可能な寝台を構成している。
【００１０】
図２に示すように、寝台に備えさせるキャスターＣ１〜Ｃ４（図ではＣ２のみ示している）に、車輪の回転と旋回とを同時に不能にするロック状態とこれを解除するロック解除状態とに切替え可能な制動装置３を内装するとともに、この各制動装置３を切替え操作する制動操作軸４を前記ボス部１ａに回動自在に貫通して寝台内方側へ突出させている。そして、前記４つの前記制動操作軸４にそれぞれ、略三角形状の作動部材５の一端を一体回動自在に取り付け、前記作動部材５の回動軸芯Ｘの直下方位置に配置した回動軸芯Ｙを有する足踏み操作部材６を前記ボス部１ａに回動自在に取り付けるとともに、前記足踏み操作部材６と前記作動部材５の前記制動操作軸４よりも上方に位置する箇所、つまり三角形状の作動部材５の３つの角部のうちの中間に位置する角部とを板状の連動部材７にて枢支連結して、左右の制動操作軸４，４を一体的に回動操作できるようにしている。
【００１１】
前記前後に位置する作動部材５それぞれの３つの角部のうちの最も上方に位置する角部同士を、前後方向の連結部材としての連結ロッド８によりそれぞれ連動連結してあり、図２で２点鎖線で示すように、足踏み操作部材６を踏み込み操作することによって、前後左右の４つの制動操作軸４・・・を一体的に回動操作できるようにしている。図２では、足踏み操作部材６を踏み込み操作することによって、連結ロッド８を上方側に移動させるようにしたが、連結ロッド８を下方側に移動させるようにしてもよいし、又連結ロッド８の上下の高さを一定にして前後にのみ移動させるようにしてもよく、要するに連結ロッド８が基台フレーム１の下端面１Ｂよりも下方に移動しないようにすればどのような移動経路を取ってもよい。
【００１２】
前述のように、作動部材５、連結ロッド８、連動部材７を、前記基台フレーム１を構成する左右フレーム部２，２の内方側箇所に配置することによって、寝台の移動時において、作動部材５、連結ロッド８、連動部材７に他物が接当することを左右フレーム部２，２が阻止するのである。また、前記作動部材５、連結ロッド８、連動部材７の連結部及び前記足踏み操作部材６の回動軸芯Ｙを、前記基台フレーム１の下端面よりも上方に位置させてあるから、作動部材５、連結ロッド８、連動部材７、足踏み操作部材６の連結作業を、基台フレーム１の下端面１Ｂと床面Ｆとの間から基台フレーム１の内方下側に潜り込んで作業を行わなくても、基台フレーム１の上方開口部１Ｋから行うことができるのである。
【００１３】
前記足踏み操作部材６を踏み込み操作することによって、キャスターＣ１〜Ｃ４の車輪の回転と旋回とを同時に不能にする構成にしたが、キャスターＣ１〜Ｃ４の車輪の回転と旋回のいずれか一方のみを不能にする構成にしてもよい。
【００１４】
前記ロック操作構造の構成によれば、足踏み操作部材６の踏み込み操作に伴っ  て左右の連動部材７，７が引っ張り操作され、その引っ張り操作力により作動部材５，５を制動作用側へ回動操作するとともに、連結ロッド８，８を引っ張り操作し、これに連動して後方側の左右の作動部材５，５を制動作用側へ回動操作するのである。このように、足踏み操作部材６の踏み込み操作に伴って全ての部材を引っ張り操作する構成にすることによって、連結ロッド８，８を押し操作する構成にした場合に、足踏み操作部材５の踏み込み操作に伴い作動部材５と連結ロッド８，８との連結部で押し操作力による拗れ等が発生することを確実に回避することができ、拗れ等に起因して発生するガタ付きや騒音のないスムーズな踏み込み操作が行えるのである。
【００１５】
前記足踏み操作部材６を、上方に脹らみを有する湾曲形状で、かつ、足踏み操作部６が最下方に位置するように形成することによって、足踏み操作部材６を踏み込み操作した時、足踏み操作部材６の回動軸芯側部位が寝台を構成する各種部材に接当することがないようにしながらも、足を大きく上げることなく安定姿勢で足踏み操作部材６の踏み込み操作を行うことができる。
【００１６】
次に、前記キャスターのロック操作構造の動作について詳述すれば、図２に示す状態において、足踏み操作部材６の足踏み用横杆６ａに片足を載せ、足踏み操作部材６を図２に仮想線で示す下方位置まで揺動操作すると、前方側の左右の連動部材７，７を介して作動部材５，５が回転し、これに対応する制動操作軸４，４が一体的に回転して、前側のキャスターＣ１，Ｃ２の車輪の回転と旋回とを同時に不能にする。これに伴って、連結ロッド８，８が図２に仮想線で示す上方位置まで引っ張り操作されると同時に、後方側の左右の作動部材５，５が前方側の左右の作動部材５，５と同一方向に一体的に回転し、これに対応する制動操作軸４，４が一体的に回転して、後側のキャスターＣ３，Ｃ４の車輪の回転と旋回とを同時に不能にするのである。
【００１７】
そして、前記キャスターＣ１〜Ｃ４のロック解除を行う場合には、前記足踏み操作部材６を、図２に実線で示す位置に戻すと、前方側の左右の連動部材７，７を介して作動部材５，５が回転し、これに対応する制動操作軸４，４が一体的に回転して、前側のキャスターＣ１，Ｃ２の車輪の回転と旋回のロックが解除される。これに伴って、連結ロッド８，８が図２に実線で示す下方位置に戻され、後方側の左右の作動部材５，５が前方側の左右の作動部材５，５と同一方向に一体的に回転し、これに対応する制動操作軸４，４が一体的に回転して、後側のキャスターＣ３，Ｃ４の車輪の回転と旋回のロックが解除されるのである。
【００１８】
前述したように、ロック操作構造に必要な部材類の枢支連結部を、制動操作軸４よりも上方に集中配置することによって、基台フレーム１下端面１ａと床面Ｆとの間に発生するスペースを利用して、アンダーロッカー９，９を取付けることができるようにしている。具体的には、図１、図３及び図４に示すように、左右フレーム部２，２間に２つの保持部材１０，１０を架設し、これら保持部材１０，１０にアンダーロッカー９，９をそれぞれ保持させてある。
【００１９】
前記各保持部材１０は、前記左右フレーム部２，２の内面に複数のビス１６（図では１個ずつ示している）により固定される左右一対の略Ｌ型の支持枠体１１，１１と、これら支持枠体１１，１１の前後端部同士を連結し、且つ、アンダーロッカー９を摺接案内及び載置支持するための案内面１２Ａを有する案内枠体１２，１２と、これら枠体１１，１１、１２，１２の内部に形成される開口を閉塞する平板１３と、前記一方の案内枠体１２の下部２ヶ所にブラケット１４を介して揺動自在に取付けてあるロック部材１５，１５とから構成している。前記平板１３の上面には、保形強度を高めるための複数の凸部１３Ａが形成されている。前記支持枠体１１，１１に形成された複数のビス孔１１Ａに対応する左右フレーム部２，２の内面に、ビス孔２Ａ，２Ａが形成されている。
【００２０】
前記各アンダーロッカー９は、矩形状の底板部１７と、この底板１７の周縁部の４ヶ所に立設した前後一対の第１縦板部１８，１８及び左右一対の第２縦板部１９，１９とから構成してある。前記各第１縦板部１８の上端部に９０度外方側に折り曲げ形成したＬ字型の鍔部１８Ａ，１８Ａを溶接して、これら鍔部１８Ａ，１８Ａの一端を前記案内枠体１２，１２に挿入したのち、鍔部１８Ａ，１８Ａの下面を案内枠体１２，１２の案内面１２Ａ，１２Ａにて摺接案内させながら、アンダーロッカー９を所定位置まで押し込み移動させる。こののち、図３に示すように、アンダーロッカー９押し込み方向手前側に位置するロック部材１５を下方側に揺動操作することによって、前記第１縦板部１８に突設した２つのピン２０，２０のうちの一方のピン２０に、ロック部材１５の切欠き１５Ａが係止して、アンダーロッカー９を固定するのである。又、アンダーロッカー９を手前に引き出す場合には、前記ロック部材１５を上方側に揺動操作することによって、ロック部材１５とピン２０との係止を解除したのち、前記手前側の第２縦板部１９の把手部１９Ａの内部空間１９Ｂ内に手を入れて、手前側に移動させるのである。前記第１縦板部１８，１８それぞれには、案内枠体１２，１２の案内移動中に、案内枠体１２，１２の上端面と点接当案内するための凸部１８ａが２ヶ所に突出形成されている。この場合、図３のように、寝台を壁面に寄せて配置する場合等において、壁面から離れた側に位置するロック部材１５のロック操作及びロック解除操作のみでアンダーロッカー９を固定及び固定解除が容易迅速に行えるようにしている。尚、前記ロック部材１５を自重またはスプリングの付勢力等により下方側に揺動付勢し、アンダーロッカー９を所定位置まで押し込み移動させると、ロック部材１５の切欠き１５Ａがピン２０に係止して、アンダーロッカー９を固定するようにしてもよい。尚、この場合、アンダーロッカー９押し込み方向奥側に位置するロック部材１５が、これに対応するピン２０に係止作用しないように、該ロック部材１５を係止解除位置に移動させておく、又は奥側の該ロック部材１５とピン２０との係止位置が、手前側のロック部材１５とピン２０との係止位置よりもアンダーロッカー９押し込み方向奥側に位置するように、ロック部材１５とピン２０との位置関係を設定しておくことになる。
【００２１】
【発明の効果】
請求項１により、ロック操作構造に必要な部材類を制動操作軸よりも上方に集中配置させることができるから、従来のように、非常に低い姿勢になる、又は寝ころんだ姿勢にならなくても、腰をあげかけた楽な中腰姿勢で作業を迅速に行うことができ、組付け作業面において有利である。しかも、連動部材の引っ張り操作力により、連結部材を引っ張り操作する構成にすることによって、連結部材を押し操作する場合に発生する拗れ等を吸収するための特別な融通機構等を設けなくても済み、ガタ付や騒音等の発生のないロック操作構造を必要となる部材の連結を変更するだけで安価に構成することができる。
【００２２】
請求項２により、寝台の移動時において、作動部材、連結部材、連動部材に他物が接当することを、従来同様に左右フレーム部により阻止することができながらも、足踏み操作部材の回動軸芯をも、基台フレームの下端面よりも上方に位置させることによって、作動部材、連結部材、連動部材、足踏み操作部材の連結作業を、基台フレームの下端面と床面との間から基台フレームの内方下側に潜り込んで作業を行わなくても、基台フレームの上方開口部から行うことができ、ロック操作構造に必要な部材類の連結作業を容易迅速に行うことができる。
【００２３】
請求項３により、ロック操作構造に必要な部材類の枢支連結部を制動操作軸よりも上方に集中配置することによって、基台フレーム下端面と床面との間に発生するスペースを、アンダーロッカー取付用空間として有効利用することができ、使用面において便利である。
【図面の簡単な説明】
【図１】寝台の一部省略縦断側面図
【図２】キャスターのロック操作構造を示す縦断側面図
【図３】アンダーロッカーの取付部を示す縦断正面図
【図４】アンダーロッカーの取付構造を示す概略斜視図
【図５】キャスターのロック操作構造の従来例を示す縦断側面図
【符号の説明】
１  基台フレーム
１ａ  ボス部
１Ｂ  下端面
１Ｋ  上方開口部
２  左右フレーム部
２Ａ  ビス孔
３  制動装置
４  制動操作軸
５  作動部材
５Ａ，５Ｂ  アーム部
６  足踏み操作部材
６ａ    足踏み用横杆
６ｂ    揺動アーム部
７  連動部材
８  連結ロッド（連結部材）
９  アンダーロッカー
１０    第１距離
１１    第２距離
１２  案内枠体
１２Ａ  案内面
１３  平板
１３Ａ  凸部
１４  ブラケット
１５  ロック部材
１５Ａ  切欠き
１６  ビス
１７  底板
１８  第１縦板部
１８Ａ  鍔部
１８ａ  凸部
１９  第２縦板部
１９Ａ  把手
１９Ｂ  内部空間
２０  ピン
Ｘ    回動軸芯
Ｙ    回動軸芯
Ｃ１  キャスター
Ｃ２  キャスター
Ｃ３  キャスター
Ｃ４  キャスター
【図１】
0003622319.tif 000002
【図２】
0003622319.tif 000003
【図３】
0003622319.tif 000004
【図４】
0003622319.tif 000005
【図５】
0003622319.tif 000006